(57)【特許請求の範囲】
【請求項１】
遊技機用の記憶媒体を有する制御基板と、該制御基板を収納する基板ケースとを備えた遊技機用記憶媒体の保護構造において、
前記制御基板は、第一基板と、前記記憶媒体が実装され、該第一基板の実装面上に配設される該第一基板よりも小型の第二基板とを備え、
前記基板ケースは、
前記第一基板の裏面を覆う透明なケースベース体と、該第一基板の実装面を覆うように該ケースベース体に組み付けられる透明なケースカバー体とを備え、組み付けられたケースカバー体とケースベース体とによって該第一基板を収納する内部空域が形成されると共に、
前記ケースカバー体が、ケース外側から凹みかつ前記内部空域側に膨出するように形成され、該ケース外側から前記第二基板を配設する収納凹部を備えてなり、
さらに、前記ケースカバー体に脱着不能に接合され、前記収納凹部を遮蔽する透明な遮蔽部材を備え、
前記ケースカバー体の収納凹部は、該ケースカバー体の外表面から前記内部空域側に延成された側壁部と、該側壁部の下端縁から連成された床壁部とを備え、該側壁部の少なくとも一部が、前記内部空域側に凸状に湾曲する湾曲側壁部により構成されたものであることを特徴とする遊技機用記憶媒体の保護構造。
【請求項２】
遊技機用の記憶媒体を有する制御基板と、該制御基板を収納する基板ケースとを備えた遊技機用記憶媒体の保護構造において、
前記制御基板は、第一基板と、該第一基板の実装面上に配設される該第一基板よりも小型の第二基板とを備え、
前記基板ケースは、
前記第一基板の裏面を覆う透明なケースベース体と、該第一基板の実装面を覆うように該ケースベース体に組み付けられる透明なケースカバー体とを備え、組み付けられたケースカバー体とケースベース体とによって該第一基板を収納する内部空域が形成されると共に、
前記ケースカバー体が、ケース外側から凹みかつ前記内部空域側に膨出するように形成され、該ケース外側から前記第二基板を配設する収納凹部を備えてなり、
さらに、前記ケースカバー体に脱着不能に接合され、前記収納凹部を遮蔽する透明な遮蔽部材を備え、
前記第二基板は、前記第一基板の実装面に立設される一又は複数の支持部材を介して、該第一基板に所定間隔をおいて前記第一基板に対して相対移動不能に固定され、
前記ケースカバー体の収納凹部は、前記第一基板と前記第二基板との間に配置される床壁部を一体として備え、該床壁部に前記支持部材を貫通させる貫通孔が形成されたものであることを特徴とする遊技機用記憶媒体の保護構造。
【請求項３】
前記底壁部は、前記第一基板と前記第二基板との間に、これら両基板とは非接触で配置されることを特徴とする請求項２に記載の遊技機用記憶媒体の保護構造。
【請求項４】
請求項１乃至請求項３のいずれか１項に記載の遊技機用記憶媒体の保護構造を備えたものであることを特徴とする遊技機。
【発明の詳細な説明】
【技術分野】
【０００１】
本発明は、遊技機用の記憶媒体を有する制御基板と、該制御基板を収納する基板ケースとを備えた遊技機用記憶媒体の保護構造、および該保護構造を備えた遊技機に関する。
【背景技術】
【０００２】
パチンコ機やスロットマシンなどの遊技機には、種々の電子部品を実装した制御基板が複数備えられており、該制御基板が基板ケースに収納されて配設されている。こうした制御基板には、遊技の抽選等の遊技制御情報が記憶された記憶装置ＲＯＭが実装されている。そして、制御基板を基板ケースの内部に収納し、該基板ケースを閉塞することにより、遊技機に配設された状態で、該制御基板の記憶装置ＲＯＭに外部からアクセスできないようにしている。
【０００３】
上記の基板ケースとしては、一般的に、制御基板の裏面を覆うベース体と該制御基板の実装面を覆うカバー体とから構成され、該ベース体とカバー体とを組み付けることにより、その内部に収納した制御基板を保護している。ところが、こうして閉塞した基板ケースであっても、前記カバー体とベース体との隙間から針金等の細長い金属器具を侵入したり、該基板ケースの側部に不正に孔等を開けて該金属機器を侵入し、制御基板に実装した上記の記憶装置ＲＯＭに不正にアクセスするという、不正行為が行われた事例が報告されている。
【０００４】
こうした不正行為を防止する構成として、例えば特許文献１には、基板ケースを構成するカバー体に、制御基板に実装された記憶装置ＲＯＭを囲む枠部を備えたものが開示されている。この従来構成では、カバー体とケース体とを組み付けた状態で、該カバー体の前記枠部が制御基板の記憶装置ＲＯＭを囲むことから、上記した細長い金属機器が基板ケース内に侵入したとしても、該枠部によって該記憶装置ＲＯＭへの不正なアクセスを防止できる。
【先行技術文献】
【特許文献】
【０００５】
【特許文献１】特開平１０−４１６０７号公報
【発明の概要】
【発明が解決しようとする課題】
【０００６】
上記した特許文献１の従来構成にあっては、カバー体に設けられた枠部により記憶装置ＲＯＭに対する不正アクセスを効果的に防止するために、該記憶装置を実装した制御基板の実装面と該枠部の下端との間隙を可及的に小さくすることが求められる。これは、この間隙が大きくなるにつれて、上記の細長い金属器具を該間隙から侵入し易くなると共に、該間隙がある程度小さい場合にも、該金属器具の先端を該間隙に差し込んで無理矢理侵入される虞があることに因る。ところが、カバー体の枠部を、その下端と制御基板の実装面との間隙が可及的に小さくなるように設計した場合、カバー体とベース体との組み立て作業中のミスや製造上の成型誤差などにより、該枠体の下端が制御基板の実装面上の回路に干渉してしまい、該回路を損傷する虞がある。こうしたことから、特許文献１の従来構成では、カバー体の枠部の下端と制御基板の実装面との間に若干の間隙を設ける必要があった。そのため、この従来構成の場合には、前記した細長い金属機器を用いた不正行為を防止する効果に限界があった。
【０００７】
本発明は、制御基板に設けられた記憶媒体への不正アクセスを防止する不正防止効果を向上し得る遊技機用記憶媒体の保護構造、および該保護構造を備えた遊技機を提案するものである。
【課題を解決するための手段】
【０００８】
本発明は、遊技機用の記憶媒体を有する制御基板と、該制御基板を収納する基板ケースとを備えた遊技機用記憶媒体の保護構造において、前記制御基板は、第一基板と、前記記憶媒体が実装され、該第一基板の実装面上に配設される該第一基板よりも小型の第二基板とを備え、前記基板ケースは、前記第一基板の裏面を覆う透明なケースベース体と、該第一基板の実装面を覆うように該ケースベース体に組み付けられる透明なケースカバー体とを備え、組み付けられたケースカバー体とケースベース体とによって該第一基板を収納する内部空域が形成されると共に、前記ケースカバー体が、ケース外側から凹みかつ前記内部空域側に膨出するように形成され、該ケース外側から前記第二基板を配設する収納凹部を備えてなり、さらに、前記ケースカバー体に脱着不能に接合され、前記収納凹部を遮蔽する透明な遮蔽部材を備え、前記ケースカバー体の収納凹部は、該ケースカバー体の外表面から前記内部空域側に延成された側壁部と、該側壁部の下端縁から連成された床壁部とを備え、該側壁部の少なくとも一部が、前記内部空域側に凸状に湾曲する湾曲側壁部により構成されたものであることを特徴とする遊技機用記憶媒体の保護構造である。
【０００９】
ここで、「遊技機用の記憶媒体」としては、遊技の抽選等の遊技制御情報が記憶された記憶装置ＲＯＭや、遊技の進行状況を示す情報が一時的に記憶される記憶装置ＲＡＭ等を適用でき、特に、該遊技制御情報が記憶された記憶装置ＲＯＭが好適に用いられる。そして、第二基板は、遊技機用の記憶媒体が少なくとも実装されるものであり、該記憶媒体の他に例えばＣＰＵが実装されていても良い。また、「遮蔽部材をケースカバー体に脱着不能に接合」としては、所定の接着剤により遮蔽部材とケースカバー体とを接着すること、遮蔽部材とケースカバー体との一方に弾性状の爪部を設け且つ他方に該爪部に係合する段部を設けて係合すること等が好適に用いられる。尚、前記の接着剤には、ＵＶ硬化型の接着剤が好適である。
【００１０】
かかる構成にあっては、記憶媒体を実装する第二基板を、他の電子部品を実装する第一基板と分割すると共に、該第一基板を収納する内部空域とは別に、該第二基板を収納する空域（以下、収納空域という）を収納凹部と遮蔽部材とにより形成し、さらに、該収納空域の全域または大部分を該内部空域の内側に形成したものである。そして、第二基板を収納する収納空域は、ケースカバー体に形成された収納凹部のみで内部空域と区画されることから、本発明の構成には、上述した特許文献１の従来構成における制御基板と枠部との間隙に相当するものが存在しない。こうしたことから、仮に、ケースカバー体とケースベース体との隙間から細長い金属機器が内部空域に侵入されたり、基板ケースの側部に不正に開けられた孔等から該金属機器が内部空域に侵入されたりした場合でも、該金属機器が前記収納空域まで侵入されることを防止できる。したがって、本発明の構成によれば、特許文献１の従来構成に比して、収納空域に配設された第二基板の記憶媒体への不正アクセスを防止する効果が飛躍的に向上する。
また、かかる構成にあっては、湾曲側壁部を、遮蔽部材の外側から比較的容易に視認することができる。これにより、仮に、内部空域に侵入された上記の金属機器によって収納凹部の湾曲側壁部に不正に孔が開口された場合にも、その痕跡を容易に見つけることができる。したがって、こうした不正侵入を防止することができ、第二基板の記憶媒体への不正アクセスを防止するという上述した本発明の作用効果が一層向上する。
【００１１】
尚、第二基板を収納した収納空域は、該第二基板上で遮蔽部材のみにより保護される。しかしながら、仮に、遮蔽部材に孔を開けて不正に侵入したり、該遮蔽部材とケースカバー体との境界から不正に侵入した場合などでは、侵入の痕跡が比較的はっきりと残り、該痕跡を容易に見つけることができる。そのため、本発明の構成は、こうした侵入による第二基板の記憶媒体への不正アクセスを防止する効果も高い。
【００１２】
また、本発明の構成のものは、ケースカバー体とケースベース体とを組み付けた後に、第二基板を収納凹部に収納して遮蔽部材を接合することによって製造できる。すなわち、第一基板を収納するようにケースベース体とケースカバー体とを組み付けるまでの工程と、その後に第二基板をケースカバー体の収納凹部に収納して遮蔽部材を接合する工程とを分けて別々に実施することができる。これにより、例えば、記録媒体に記録される遊技制御情報の開発に多くの時間を費やすことになった場合でも、該開発と並行して、ケースベース体とケースカバー体とを組み付けるまでの工程を実施し、該遊技制御情報開発した後に該記録媒体を実装した第二基板を配設する工程を実施することができる。したがって、本発明の構成は、その製造工程を効率化することができる。
【００１３】
また、本発明は、遊技機用の記憶媒体を有する制御基板と、該制御基板を収納する基板ケースとを備えた遊技機用記憶媒体の保護構造において、前記制御基板は、第一基板と、該第一基板の実装面上に配設される該第一基板よりも小型の第二基板とを備え、前記基板ケースは、前記第一基板の裏面を覆う透明なケースベース体と、該第一基板の実装面を覆うように該ケースベース体に組み付けられる透明なケースカバー体とを備え、組み付けられたケースカバー体とケースベース体とによって該第一基板を収納する内部空域が形成されると共に、前記ケースカバー体が、ケース外側から凹みかつ前記内部空域側に膨出するように形成され、該ケース外側から前記第二基板を配設する収納凹部を備えてなり、さらに、前記ケースカバー体に脱着不能に接合され、前記収納凹部を遮蔽する透明な遮蔽部材を備え、前記第二基板は、前記第一基板の実装面に立設される一又は複数の支持部材を介して、該第一基板に所定間隔をおいて前記第一基板に対して相対移動不能に固定され、前記ケースカバー体の収納凹部は、前記第一基板と前記第二基板との間に配置される床壁部を一体として備え、該床壁部に前記支持部材を貫通させる貫通孔が形成されたものであることを特徴とする遊技機用記憶媒体の保護構造である。
【００１４】
かかる構成にあっては、制御基板の記憶媒体への不正アクセス防止効果がより一層向上する。
【００１５】
上述した遊技機用記憶媒体の保護構造にあって、前記底壁部が、前記第一基板と前記第二基板との間に、これら両基板とは非接触で配置されたものである構成が提案される。
【００１６】
かかる構成にあっては、ケースカバー体をケースベース体に組み付ける際に、床壁部が第一基板上の回路に干渉することを未然に防止できる。
【００２２】
また、本発明は、上述した遊技機用記憶媒体の保護構造を備えたものであることを特徴とする遊技機である。
【００２３】
かかる構成にあっては、遊技機用記憶媒体の保護構造によって生ずる上述した作用効果を奏し得る。
【発明の効果】
【００２４】
本発明によれば、制御基板に設けられた記憶媒体への不正アクセスを防止する不正防止効果を向上し得る遊技機用記憶媒体の保護構造、および該保護構造を備えた遊技機を提供できる。
【図面の簡単な説明】
【００２６】
【図１】制御基板ユニット１の正面図である。
【図２】制御基板ユニット１の斜視図である。
【図３】制御基板ユニット１の分解斜視図である。
【図４】制御基板２を構成する第一基板１１と第二基板１２との関係を示す説明図である。
【図５】ケースベース体３１と第一基板１１とを示す分解図である。
【図６】ケースベース体３１とケースカバー体３２とを示す分解図である。
【図７】第二基板１２の収納を説明する分解図である。
【図８】遮蔽部材４６の取付けを説明する分解図である。
【図９】制御基板ユニット１を縦断して示す斜視図である。
【図１０】スロットマシン６１における、制御基板ユニットの取付位置を例示する説明図である。
【発明を実施するための形態】
【００２７】
本発明にかかる実施例を、添付図面を用いて説明する。
図１〜図３に、本実施例の遊技機用の制御基板ユニット１を示す。制御基板ユニット１は、スロットマシン６１やパチンコ機などの遊技機（図１０参照）に配設されるものであり、該遊技機の動作を制御処理する制御基板２と、該制御基板２を収納して保護する基板ケース３とを備えてなるものである。尚、図１，２では、後述する遮蔽部材４６のみを透明で図示している。
【００２８】
本実施例では、制御基板ユニット１およびその構成部材を説明する便宜上、図１のように制御基板ユニット１を正面から視た状態で、該図１の紙面に直交する方向を、表裏方向として規定し、同じく正面から視た状態で該図１の紙面上の左右の横方向を、左右方向として規定し、同じく正面から視た状態で該図１の紙面上の上下の縦方向を、上下方向として規定する。こうして規定した方向は、前記のように便宜上規定した方向であり、本発明が本実施例で定めた方向にのみ限定されるものでは無い。
【００２９】
図４は、基板ケース３を省略して制御基板２のみを示す図面である。制御基板２は、矩形状の第一基板１１と、該第一基板１１よりも小型の矩形状の第二基板１２とから構成されている。そして、第二基板１２は、第一基板１１の左側縁寄りの所定位置で、該第一基板１１の実装面１１ａ上に所定間隔をおいて配設される。ここで、第一基板１１の実装面１１ａには、所定位置に、表側へ立ち上がる柱状の支持部材１５が四個配設され、各支持部材１５の上端に、第二基板１２の四隅部位が上載されて、固定用のネジ（図示せず）によって該第二基板１２と各支持部材１５とが夫々締結される。このように、第二基板１２は、第一基板１１上に所定間隔をおいて固定される。
【００３０】
第二基板１２の実装面１２ａには、遊技の抽選を行うプログラムやデータ等の遊技制御情報が記憶された記憶装置ＲＯＭ２１と、該遊技の抽選における抽選データ等を一時的に記憶する記憶装置ＲＡＭ２２とが実装されると共に、所定の配線パターンがプリントされて、回路が形成されている。さらに、第二基板１２の裏面には、コネクタ２３が配設されており、該コネクタ２３と前記した記憶装置ＲＯＭ２１および記憶装置ＲＡＭ２２とが実装面１２ａの配線パターンを介して接続されている。一方、第一基板１１の実装面１１ａには、前記記憶装置ＲＯＭ２１からプログラムやデータ等を読み込んで制御処理を行うＣＰＵや、遊技の抽選に関わらない電子部品（ＩＣやアンプなど）、コネクタケーブルが接続されるコネクタなどが実装されると共に、所定の配線パターンがプリントされて、回路が形成されている。さらに、第一基板１１の実装面１１ａには、所定位置に、上述した四個の支持部材１５が立設されると共に、該支持部材１５に固定された前記第二基板１２のコネクタ２３と接続されるコネクタ受け部２６が配設されている。
【００３１】
このように制御基板２は、第一基板１１と第二基板１２との二段の階層構造となっており、上記の記憶装置ＲＯＭ２１と記憶装置ＲＡＭ２２とが実装される第二基板１２を、これ以外の電子部品が実装される第一基板１１と分けて設けている。すなわち、特に不正行為を防止すべきものである記憶装置ＲＯＭ２１と記憶装置ＲＡＭ２２とが、これ以外の電子部品と分けて配設される。
【００３２】
次に、上記した基板ケース３について説明する。
基板ケース３は、図３のように、ケースベース体３１とケースカバー体３２とを備え、該ケースベース体３１にケースカバー体３２を組み付けることによって内部空域３３が形成される（図６，９参照）。そして、この内部空域３３に上記の第一基板１１が配設される。ここで、第一基板１１は、その実装面１１ａがケースカバー体３２に対向するように、前記内部空域３３に配設されることから、図５，６のように、該ケースカバー体３２により該実装面１１ａが覆われ、且つケースベース体３１により該第一基板１１の裏面が覆われる。
【００３３】
上記のケースベース体３１は、図３，５のように、略四角形の浅底箱状を成し、その内側に、第一基板１１を支持するフランジが形成されている。そして、ケースベース体３１には、第一基板１１を支持した状態で、該第一基板１１の四隅に開口された貫通孔（図示せず）に夫々対向する部位に、各貫通孔に連通するネジ孔（図示せず）が夫々形成されている。一方、ケースカバー体３２は、図３，６のように、略四角形の蓋状を成し、その四隅から裏側に突出する四個の支持突部３４を備えている。各支持突部３４は、ケースカバー体３２をケースベース体３１に組み付けた状態で、該ケースベース体３１の内側に配置された第一基板１１の四隅に夫々当接する。尚、支持突部３４は、有底円筒状を成し、その底部に表裏に貫通する孔が形成されており、この孔が上記第一基板１１の貫通孔と上記ケースベース体３１のネジ孔と連通する。
【００３４】
さらに、ケースカバー体３２には、その左側縁から左方に突出する係合突部３６，３６と、右側縁から裏方へ突出する弾性爪部３５，３５とが形成されている。一方、ケースベース体３１には、その左側部に、前記ケースカバー体３２の係合突部３６，３６を嵌入する嵌合孔３７，３７が形成され、右側部には、前記弾性爪部３５，３５を係止する係止孔３８，３８が形成されている。
【００３５】
こうしたケースベース体３１とケースカバー体３２とを組み付ける手順としては、図５のように、該ケースベース体３１に第一基板１１を支持する。その後、図６のように、ケースカバー体３２を、第一基板１１を支持したケースベース体３１に組み付ける。この組み付けの際には、ケースカバー体３２の係合突部３６，３６を該ケースベース体３１の嵌合孔３７，３７に嵌入して、該ケースカバー体３２の弾性爪部３５，３５を該ケースベース体３１の係止孔３８，３８に係止する。これにより、ケースカバー体３２をケースベース体３１に組み付ける。そして、この状態で、所定のネジを、ケースカバー体３２の表側から、その支持突部３４の孔と第一基板１１の貫通孔とを介してケースベース体３１のネジ孔に螺合することによって、該ケースカバー体３２と第一基板１１とケースベース体３１とを締結する。さらに、ケースベース体３１とケースカバー体３２との境界を所定の接着材などにより接着する。このようにしてケースベース体３１とケースカバー体３２とを、その内部空域３３に第一基板１１を配設した状態で、着脱不能に接合する。そして、前記接合後は、ケースカバー体３２とケースベース体３１とを開けるためには、少なくとも一方の破壊を必要とする。そのため、不正に開放されれば、その痕跡が残ることから、こうした不正行為を比較的容易に見つけることができる。
【００３６】
また、上記のケースカバー体３２には、図３，６のように、第一基板１１の実装面１１ａと対向する外表面部３２ａに、表側から裏側へ略四角形状に凹む収納凹部４１が形成されており、さらに、該ケースカバー体３２の右側縁と該収納凹部４１との間に、外表面部３２ａの裏側から突出する隔壁部３９ａ，３９ｂが設けられている。ここで、収納凹部４１は、ケースカバー体３２の左側縁寄りに設けられており、隔壁部３９ａ，３９ｂは、該ケースカバー体３２の右側寄りの部分に並設されている（図９参照）。隔壁部３９ａ，３９ｂは、ケースカバー体３２の上下方向に沿って形成されており、該ケースカバー体３２とケースベース体３１とを組み付けた状態で、該ケースベース体３１の内側に配置された第一基板１１の実装面１１ａに近接する（図９参照）。こうした隔壁部３９ａ，３９ｂを設けたことによって、仮に基板ケース３の右側部から不正に侵入された場合に、前記収納凹部４１にまで侵入されることを妨げることができるため、こうした該基板ケース３の右側部から該収納凹部４１に至る不正侵入を防ぐ効果が著しく向上する。
【００３７】
上記の収納凹部４１は、ケースカバー体３２の外表面部３２ａの裏側に膨出するように形成され、図６のように、略四角形の床壁部４１ａと、該外表面部３２ａから裏側に延成されて該床壁部４１ａに至る四方の側壁部４１ｂ，４１ｃとにより構成されている。ここで、収納凹部４１は、その凹む空域に上記した第二基板１２を収納できるように、そのサイズが設定されている。さらに、収納凹部４１は、ケースカバー体３２とケースベース体３１とを組み付けた状態で、内部空域３３に配設された第一基板１１及び該第一基板１１に実装された各種実装部品と床壁部４１ａとが接触しないように（図９参照）、前記外表面部３２ａから床壁部４１ａまでの深さが設定されている。
【００３８】
収納凹部４１の床壁部４１ａには、図６，７のように、第一基板１１の実装面１１ａに立設される四個の支持部材１５を夫々貫通する四個の貫通孔４２が形成されている。そして、ケースベース体３１とケースカバー体３２とを組み付けた状態で、第一基板１１に立設された四個の支持部材１５の上端部が、前記貫通孔４２を介して前記床壁部４１ａ上に夫々突出する。こうして突出した各支持部材１５の上端に第二基板１２を上載し、固定用のネジにより第二基板１２を支持部材１５に締結することによって、上述したように該第二基板１２を第一基板１１に固定して、図８のように収納凹部４１の内側に配設する。第二基板１２を収納凹部４１に配設した状態では、該第二基板１２が該収納凹部４１の床壁部４１ａと非接触で近接し且つ該第二基板１２の実装面１２ａに配設された記憶装置ＲＯＭ２１および記憶装置ＲＡＭ２２が該収納凹部４１内に収まる（図９参照）。
【００３９】
さらに、収納凹部４１の床壁部４１ａには、図６，７のように、コネクタ用孔４３が形成されている。このコネクタ用孔４３は、第二基板１２の裏面に配設されたコネクタ２３を該床壁部４１ａの裏側に突出させるためのものである。そして、上述したように第二基板１２を第一基板１１に立設された支持部材１５の上端に配した状態で、該第二基板１２のコネクタ２３が、該コネクタ用孔４３を介して該床壁部４１ａの裏側に突出して、該第一基板１１の上記コネクタ受け部２６に接続される。
【００４０】
上記の収納凹部４１は、その左側の側壁部４１ｃを、内部空域３３側に凸状に湾曲する湾曲側壁部４１ｃとしたものである。この湾曲側壁部４１ｃは、ケースカバー体３２の表側から収納凹部４１を視た場合に、その略全域を、他の側壁部４１ｂに比して視認し易い。そのため、仮に、湾曲側壁部４１ｃに不正に孔等を開けられた場合に、この不正な孔等を容易に見つけることができる。
【００４１】
ここで、本実施例では、収納凹部４１を構成する左側の側壁部４１ｃのみを湾曲側壁部４１ｃとしており、この理由について以下に説明する。
（１）制御基板ユニット１は、図１のように、基板ケース３（ケースベース体３１およびケースカバー体３２）が左右方向を長手方向とする略長方形状に形成されている。そのため、収納凹部４１の左右には十分なスペースを確保する余裕があり、該収納凹部４１の左右の側壁部４１ｂ，４１ｃを湾曲側壁部とすることが可能である。尚、左右の側壁部４１ｂ，４１ｃについては、下記（２）で説明する。一方、基板ケース３の上下方向は、左右方向に比して短尺であることから、収納凹部４１の上下に十分なスペースを確保する余裕がない。そのため、本実施例では、収納凹部４１の上下の側壁部４１ｂを湾曲側壁部としていない。
（２）制御基板ユニット１をスロットマシン６１に取り付ける場合に、その取付位置は、図１０のように、例えばＡ位置、Ｂ位置、Ｃ位置のいずれかが一般的である。ここで、スロットマシン６１は、リール６５を収納した筐体６２と該筐体２にヒンジ機構を介して開閉可能に取り付けられた前扉６３とを備え、該前扉６３には、該リール６５を外部から視認するための視認窓６６が設けられている。こうしたスロットマシン６１における前記Ａ位置は、前扉６３の裏面で視認窓６５の直上に位置し、前記Ｂ位置は、筐体６２の左側壁６２ａの内面でリール６５の直上に位置し、前記Ｃ位置は、筐体６２の奥壁６２ｂの内面でリール６５の直上に位置する。制御基板ユニット１を前記Ａ位置に取り付ける場合、該制御基板ユニット１は、その左側部（図１参照）を上とし、ケースカバー体３１の表側をスロットマシン１の裏向きにして取り付けられる。一方、前記Ｂ位置に取り付ける場合、制御基板ユニット１は、その左側部（図１参照）を上とし、ケースカバー体３１の表側をスロットマシン１の右向きにして取り付けられる。さらに一方、前記Ｃ位置に取り付ける場合、制御基板ユニット１は、その左側部（図１参照）を上とし、ケースカバー体３１の表側をスロットマシン１の表向きにして取り付けられる。これら取付位置のなかで特にＢ位置およびＣ位置は、リール６５の直上であることから、該リール６５に接続される配線や部材などが、該Ｂ位置やＣ位置に取り付けた制御基板ユニット１の下部（図１の右側縁寄り部分）に表側から重なる。そのため、前扉６３を開放した状態で、制御基板ユニット１の下部（図１の右側縁寄り部分）を視認し難い。こうしたことから、本実施例の制御基板ユニット１では、スロットマシン１に取り付けた状態で上になる左側縁寄りに収納凹部４１を形成し（図１参照）、該スロットマシン１の前扉６３を開放した状態で、該収納凹部４１の第二基板１２を視認し易くしている。そして、この収納凹部４１は、スロットマシン１に取り付けた状態で上になる側壁部４１ｂを湾曲側壁部４１ｂとし、上述したように、該湾曲側壁部４１ｂに不正な孔等が開けられた場合に一層見つけ易くなっている。さらに、制御基板ユニット１は、スロットマシン１に取り付けた状態で視認し難くなる下部（図１の右側縁寄り部分）に、上述したようにケースカバー体３２の隔壁部３９ａ，３９ｂを設け（図９参照）、基板ケース３の右側部から内部空域３３に不正に侵入された場合にも、収納凹部４１に至る侵入を防止する効果を著しく向上させている。このように隔壁部３９ａ，３９ｂを設けることによって、スロットマシン６１に取り付けた状態で制御基板ユニット１の下部（図１の右側縁寄り部分）が視認し難いという不利な点を補っている。すなわち、本実施例の制御基板ユニット１では、スロットマシン６１に取り付けた状態で視認し易い上部（図１の左側縁寄り部分）に収納凹部４１を設け且つその上側の側壁部４１ｃを湾曲側壁部４１ｃとする一方、該スロットマシン６１に取り付けた状態で視認し難い下部（図１の右側縁寄り部分）には隔壁部３９ａ，３９ｂを設けている。
【００４２】
また、上記のケースカバー体３２には、図３，８のように、収納凹部４１を遮蔽する平板状の遮蔽部材４６が接合される。この遮蔽部材４６は、ケースカバー体３２の外表面部３２ａにおける収納凹部４１の開口を閉鎖するものである。そして、遮蔽部材４６によって遮蔽された空域４７（以下、収納空域という）に、上記した第二基板１２が収納される（図９参照）。ここで、遮蔽部材４６は、ケースカバー体３２の外表面部３２ａに、所定のＵＶ硬化型接着材により接着される。このＵＶ硬化型接着材は、硬化後に接着解除できないことから、遮蔽部材４６を取り外すためには、該遮蔽部材４６の破壊等を必要とする。そのため、不正に開放されれば、その痕跡が残ることから、こうした不正行為を比較的容易に見つけることができる。さらに、この遮蔽部材４６は平板状であることから、ケースカバー体３２に接着した状態で、該遮蔽部材４６が該ケースカバー体３２の外表面部３２ａから表側へ突出する高さは極僅かである。これにより、本実施例の制御基板ユニット１を遊技機に配設するための配設スペースは、遮蔽部材４６を設けたことにより増加させる必要がなく、該遮蔽部材４６を設けない従来構成と同等の配設スペースで足りる。すなわち、制御基板ユニット１の配設スペースという点で、平板状の遮蔽部材４６を備えた構成は有利と言える。
【００４３】
尚、上述したケースベース体３１、ケースカバー体３２、および遮蔽部材４６は、所定の合成樹脂を射出成型する製造方法やプレス成型する製造方法等によって製造することができる。本実施例では、ケースベース体３１、ケースカバー体３２、および遮蔽部材４６を、同じ合成樹脂から成型し、無色透明な合成樹脂製のものとなっている。これにより、ケースベース体３１とケースカバー体３２とを組み付け、さらに遮蔽部材４６と接着した状態（制御基板ユニット１）で、該ケースカバー体３２の外側から、内部空域３３に配設された第一基板１１と収納空域４７に配設された第二基板１２とを視認できる。
【００４４】
本実施例の基板ケース３は、図９のように、ケースベース体３１とケースカバー体３２とにより形成される内部空域３３と、該ケースカバー体３２の収納凹部４１と遮蔽部材４６とにより形成される収納空域４７とが区画されてなるものであり、該収納空域４７が内部空域３３の内側に設けられている。この基板ケース３に適合するように、制御基板２は、前記内部空域３３に配設される第一基板１１と、前記収納空域４７に配設される第二基板１２とによる二段の階層構造により構成し、さらに、該第二基板１２に、遊技抽選等の遊技制御情報を記憶した記憶装置ＲＯＭ２１と記憶装置ＲＡＭ２２とを実装したものである。すなわち、不正行為から保護すべき優先度の高い記憶装置ＲＯＭ２１と記憶装置ＲＡＭ２２とを、他の実装部品と分けて第二基板１２に実装し、該第二基板１２を、前記内部空域３３と収納空域４７とによる二重構造により保護している。
【００４５】
こうした構造の制御基板ユニット１は、ケースカバー体３２の外表面部３２ａを視認できるように、ケースベース体３１がスロットマシン等の遊技機に所定の固定機構を介して配設される（図１０参照）。そして、遊技機に制御基板ユニット１を配設した状態で、ケースカバー体３２の表側から、第一基板１１や第二基板１２を視認可能となっている。
このように制御基板ユニット１を遊技機に配設した状態で、第二基板１２の記憶装置ＲＯＭ２１や記憶装置ＲＡＭ２２に不正にアクセスする不正行為として、遮蔽部材４６に不正に孔を開けたり、該遮蔽部材４６を破壊したりすることがあり得る。しかし、こうしたケースカバー体３２の表面側からの不正行為は、いずれもの場合も、遮蔽部材４６やケースカバー体３２に不正の痕跡が残るため、不正行為が行われたことを容易に見つけることができる。そのため、ケースカバー体３２の表面側からの不正行為を防止することができる。
また、別の不正行為として、基板ケース３の側部（上下左右のいずれかの側部）から細長い金属機器を侵入させることがあり得る。遊技機に配設された状態で、制御基板ユニット１の周囲には様々な配線や部品などが配されていることから、前記した基板ケース３の側部の痕跡は比較的見つけ難い。しかし、このように基板ケース３の側部から内部空域３３に侵入された場合であっても、第二基板１２は収納凹部４１により保護されており、さらに収納空域４７に侵入することは極めて困難である。そのため、第二基板１２を配設した収納空域４７への不正な侵入を防止できる。この一方で、基板ケース３の側部から内部空域３３に侵入され、さらに収納凹部４１の収納空域４７に侵入される場合としては、該収納凹部４１を構成する側壁部４１ｂ，４１ｃに孔等を開けることが最もあり得る。しかし、このように側壁部４１ｂ、４１ｃに孔等を開けて侵入された場合には、該側壁部４１ｂ，４１ｃに生じた痕跡をケースカバー体３２の表側から見つけることができる。そのため、収納凹部４１の側壁部４１ｂ，４１ｃに孔等を開けて侵入する不正行為を防止することができる。
特に、本実施例の構成では、上述したように、遊技機（スロットマシン６１）に取り付けた状態で比較的視認し難い基板ケース３の右側縁寄り部分には、隔壁部３９ａ，３９ｂが設けて、該基板ケース３の右側部から収納凹部４１に至る侵入を防止する一方、この反対側となる基板ケース３の左側縁寄り部分は、前記遊技機に取り付けた状態で比較的視認し易いことから、収納凹部４１の左側の側壁部４１ｃを湾曲側壁部４１ｃとして、該湾曲側壁部４１ｃに不正に孔等を開けて侵入された場合に、その痕跡を一層容易に見つけることができるようにしている。
【００４６】
このように本実施例の制御基板ユニット１は、記憶装置ＲＯＭ２１と記憶装置ＲＡＭ２２とを実装した第二基板１２を保護する機能が高く、該記憶装置ＲＯＭ２１や記憶装置ＲＡＭ２２への不正なアクセスを確実かつ安定して防止できる。そして、本実施例の構成を上述した特許文献１の従来構成と比較すると、該従来構成よりも不正行為を防止する作用効果が著しく高い。さらに、本実施例の制御基板ユニット１は、第二基板１２を収納する収納凹部４１が、第一基板１１の実装面１１ａと非接触とするように形成されていることから、前記の特許文献１の従来構成のように基板上の回路に干渉する虞も無い。
【００４７】
また、本実施例の制御基板ユニット１は、ケースベース体３１に第一基板１１を配置し、該ケースベース体３１にケースカバー体３２を組み付けてネジや接着材により固定した後に、該ケースカバー体３２の収納凹部４１に第二基板１２を配設して、遮蔽部材４６を接着することにより製造できる。すなわち、ケースベース体３１とケースカバー体３２とを接合して第一基板１１を内部空域３３に配設した状態まで製造する工程（図５，６参照）と、収納凹部４１に第二基板１２を配設して遮蔽部材４６を接着する工程（図７，８参照）とを分けて別々に実施することが可能である。これにより、記憶装置ＲＯＭ２１に記憶する遊技制御情報の開発に比較的多くの時間を費やす場合にも、第二基板１２を配設する前の工程（図５，６参照）まで製造工程を進めることができるから、当該制御基板ユニット１の製造工程を効率化できる。
【００４８】
尚、上述した本実施例の構成にあって、制御基板ユニット１の構造により、本発明にかかる遊技機用記憶媒体の保護構造が実現されている。そして、記憶装置ＲＯＭ２１および記憶装置ＲＡＭ２２により、本発明にかかる記憶媒体が構成されている。
【００４９】
一方、上述した実施例の別例として、遮蔽部材４６と、ケースベース体３１およびケースカバー体３２とを異なる透明色により形成した構成が提案できる。例えば、ケースベース体３１およびケースカバー体３２をクリアオレンジやクリアイエロー等の透明色とし、遮蔽部材４６を無色透明とする。こうした構成によれば、上述したように収納凹部４１の側壁部４１ｂ，４１ｃに不正に孔等を開けられた場合に、遮蔽部材４６と収納凹部４１との透明色が異なることによって、該遮蔽部材４６の外側から一層見つけ易い。したがって、こうした別例の構成によれば、不正行為の痕跡を見つけ易く、これに伴って該不正行為を防止する効果が一層向上する。尚、この別例の構成は、前記のように、遮蔽部材４６とケースベース体３１およびケースカバー体３２とを異なる透明色により形成した以外は上述した実施例と同じ構成であることから、各構成要素の説明は省略する。
【００５０】
また、上述した実施例の構成にあっては、ケースカバー体の収納凹部を構成する一の側壁部を湾曲側壁部とした構成であるが、これに限らず、複数の側壁部を湾曲側壁部とすることもできる。例えば、上述した隔壁３９ａ，３９ｂに対向する右側の側壁部を除く、他の三方の側壁部を湾曲側壁部として構成するように良い。また、四方全ての側壁部を湾曲側壁部として構成するようにしても良い。
【００５１】
また、上述した実施例の構成にあっては、平板状の遮蔽部材を適用した構成であるが、これに限らず、様々な形状の遮蔽部材を用いることも可能である。例えば、表側に湾曲する形状のものや、逆に裏側に湾曲する形状のもの等を用いることも可能である。尚、遮蔽部材としては、上述したように、設置スペースの関係上、表側に突出する高さを可及的に少なくした構成が好適である。
【００５２】
また、上述した実施例の構成にあっては、第二基板に記憶装置ＲＯＭと記憶装置ＲＡＭとを実装した構成であるが、これに限らず、例えば、該第二基板に、該記憶装置ＲＯＭ、記憶装置ＲＡＭ、およびＣＰＵを実装した構成としても良い。この構成では、ＣＰＵに対する不正なアクセスを防止する効果も向上することから、不正行為を一層防止することができる。
【００５３】
本発明にあっては、上述した実施例に限定されるものではなく、上述の実施例以外の構成についても本発明の趣旨の範囲内で適宜変更して実施可能である。
【符号の説明】
【００５４】
１  制御基板ユニット
２  制御基板
３  基板ケース
１１  第一基板
１２  第二基板
２１  記憶装置ＲＯＭ（記憶媒体）
２２  記憶装置ＲＡＭ（記憶媒体）
３１  ケースベース体
３２  ケースカバー体
３３  内部空域
４１  収納凹部
４１ａ  床壁部
４１ｂ  側壁部
４１ｃ  湾曲側壁部
４６  遮蔽部材
６１  スロットマシン（遊技機）
【要約】
【課題】制御基板の記憶媒体への不正アクセスを防止する効果を向上できる遊技機用記憶媒体の保護構造を提案する。
【解決手段】ケースベース体３１とケースカバー体３２とを組み付けることにより形成される内部空域に第一基板１１を配設し、該ケースカバー体３２に設けられた収納凹部４１に、遊技機用の記憶媒体２１，２２を実装した第二基板１２を収納することにより、該第一基板１１の実装面１１ａ上に第二基板１２を配設し、さらに、該収納凹部４１を遮蔽する遮蔽部材４６を該ケースカバー体３２に接合するようにしたものである。かかる構成によれば、記憶媒体２１，２２を実装した第二基板１２が、前記内部空域と収納凹部４１とにより二重に保護されることから、該記憶媒体２１，２２への不正なアクセスを防止する効果が飛躍的に向上する。
【選択図】図３【図１】
0005852713.tif 000002
【図２】
0005852713.tif 000003
【図３】
0005852713.tif 000004
【図４】
0005852713.tif 000005
【図５】
0005852713.tif 000006
【図６】
0005852713.tif 000007
【図７】
0005852713.tif 000008
【図８】
0005852713.tif 000009
【図９】
0005852713.tif 000010
【図１０】
0005852713.tif 000011